(57)【要約】  制御装置（３０）は、電動自転車（１）に搭載された電動モータ（２１）の補助駆動力を制御する。制御装置（３０）は、電動自転車（１）の周囲に存在する対象物を検出する距離センサ（３１）と、距離センサ（３１）が検出した対象物に関する値が閾値以下である場合に、電動モータ（２１）の補助駆動力を弱める駆動制御部（３４）とを備える。
2019187854.tif 000002
【特許請求の範囲】
【請求項１】
乗り物に搭載された電動モータの駆動力を制御する制御装置であって、
前記乗り物の周囲に存在する対象物を検出する検出装置と、
前記検出装置が検出した前記対象物に関する値が閾値以下である場合に、前記電動モータの駆動力を弱める駆動制御部とを備える
制御装置。
【請求項２】
前記検出装置は、前記乗り物の周囲に存在する対象物から前記乗り物までの距離を前記値として検出する距離センサであり、
前記駆動制御部は、前記距離センサが検出した前記対象物から前記乗り物までの距離が閾値以下である場合に、前記電動モータの駆動力を弱める
請求項１に記載の制御装置。
【請求項３】
さらに、前記乗り物の走行速度を検出する速度センサ、又は、前記乗り物の加速度を検出する加速度センサと、
前記速度センサが検出した前記走行速度、又は、前記加速度センサが検出した前記加速度に基づいて、前記閾値を算出する処理部とを備える
請求項１又は２に記載の制御装置。
【請求項４】
前記検出装置は、前記乗り物の進行方向側に存在する対象物を検出する
請求項１〜３のいずれか１項に記載の制御装置。
【請求項５】
請求項１〜４のいずれか１項に記載の制御装置を備える
乗り物。
【発明の詳細な説明】
【技術分野】
【０００１】
本開示は、制御装置及び制御装置を搭載した乗り物に関する。
【背景技術】
【０００２】
電動アシスト自転車であって、ペダルに付与される踏力に対応するトルクを検出するためのトルク検出ユニットと、クランクの回転数を検出する回転数検出ユニットと、補助駆動力を発生させる電動モータと、電動モータの補助駆動力を制御する制御装置と、を備える電動アシスト自転車が開示されている（例えば、特許文献１を参照）。
【先行技術文献】
【特許文献】
【０００３】
【特許文献１】特開２０１７−１５４５６４号公報
【発明の概要】
【発明が解決しようとする課題】
【０００４】
乗り物が道路を走行する際に、乗り物の周囲に存在する対象物等に応じて乗り物に付与される駆動力を適切にしたいという要望がある。【０００５】
そこで、本開示は、乗り物の周囲に存在する対象物に応じて、電動モータの駆動力を適切に制御することができる制御装置及び乗り物を提供することを目的とする。
【課題を解決するための手段】
【０００６】
上記目的を達成するため、本開示の一態様に係る制御装置は、乗り物に搭載された電動モータの駆動力を制御する制御装置であって、前記乗り物の周囲に存在する対象物を検出する検出装置と、前記検出装置が検出した前記対象物に関する値が閾値以下である場合に、前記電動モータの駆動力を弱める駆動制御部とを備える。【０００７】
また、本開示の一態様に係る乗り物は、制御装置を備える。
【発明の効果】
【０００８】
本開示に係る制御装置及び乗り物によれば、乗り物の周囲に存在する対象物に応じて、電動モータの駆動力を適切に制御することができる。
【図面の簡単な説明】
【０００９】
【図１】図１は、実施の形態に係る電動自転車の側面図である。
【図２】図２は、実施の形態に係る電動自転車の構成を示すブロック図である。
【図３】図３は、電動自転車の走行速度と閾値との関係を示す図である。
【図４】図４は、実施の形態に係る電動自転車の走行中に電動モータの補助駆動力を弱める動作を示すフローチャートである。
【図５】図５は、変形例に係る電動自転車の構成を示すブロック図である。
【発明を実施するための形態】
【００１０】
以下では、本開示の実施の形態について、図面を用いて詳細に説明する。なお、以下に説明する実施の形態は、いずれも本開示の一具体例を示すものである。したがって、以下の実施の形態で示される数値、形状、材料、構成要素、構成要素の配置及び接続形態、ステップ、ステップの順序などは、一例であり、本開示を限定する趣旨ではない。よって、以下の実施の形態における構成要素のうち、本開示の最上位概念を示す独立請求項に記載されていない構成要素については、任意の構成要素として説明される。
【００１１】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１２】
（実施の形態）
［構成］
まず、本実施の形態に係る制御装置及び乗り物の構成について説明する。
【００１３】
図１は、実施の形態１に係る電動自転車１を示す側面図である。
【００１４】
以下の説明において、「前方」とは、電動自転車１の走行時の進行方向であり、「後方」とはその反対方向である。具体的には、電動自転車１のサドル１５に対してハンドル１４側が「前方」である。「左右方向」は、前後方向に対して直交する方向である。
【００１５】
図１に示すように、電動自転車１では、周囲に対象物が存在していない場合に通常の補助駆動力をユーザの踏力に付与し、周囲に対象物が存在している場合に通常の補助駆動力よりも弱い補助駆動力を付与する。以下、本実施の形態では、乗り物の一例として電動自転車１について説明するが、乗り物は、電動自転車に限定されず、自動車、電車等の車両であってもよい。また、補助駆動力は、駆動力の一例であり、アシスト力ともいう。対象物は、例えば、人、道路に設置されている設備等の障害物等である。
【００１６】
電動自転車１は、アシストモードと、押し歩きモードとを有する。アシストモードは、ペダル１７へのユーザの踏力に基づく車体１０の前進を補助する。押し歩きモードは、ユーザが電動自転車１を押して歩くときに、ユーザによる車体１０を前へ押す力に基づいて、車体１０の前進が補助される。アシストモードと押し歩きモードとは、排他的に実行される。
【００１７】
電動自転車１は、車体１０と、電動モータ２１と、車体１０に取り付けられた制御装置３０と、バッテリー５０とを備える。
【００１８】
車体１０は、フレーム１１と、前輪１２と、後輪１３と、ハンドル１４と、サドル１５と、クランク１６と、ペダル１７と、チェーン１９とを備える。
【００１９】
フレーム１１は、ヘッドパイプ１１１と、メインフレーム１１２と、立パイプ１１３と、フォーク１１４と、チェーンステー１１５とを備える。ヘッドパイプ１１１は、前輪１２を支持するフォーク１１４及びハンドル１４を、ヘッドパイプ１１１の軸を中心に回転自在に支持する。ハンドル１４を左右に回すことで、フォーク１１４に支持された前輪１２の向きを左右に回転させることができる。
【００２０】
メインフレーム１１２は、ヘッドパイプ１１１と立パイプ１１３とを連結する部分である。メインフレーム１１２の下端部には、クランク１６及び制御装置３０が取り付けられている。本実施の形態に係る電動自転車１は、クランク１６と制御装置３０とが一体化された、いわゆるセンターユニット方式の電動自転車１である。
【００２１】
立パイプ１１３は、サドル１５を着脱可能に支持する。本実施の形態では、立パイプ１１３に、バッテリー５０が着脱可能に取り付けられている。
【００２２】
フォーク１１４は、前輪１２を回転自在に支持する。チェーンステー１１５は、後輪１３を回転自在に支持する。
【００２３】
ハンドル１４には、一対のグリップ１４１及びブレーキレバー１４２が左右に設けられている。
【００２４】
一対のブレーキレバー１４２は、前輪１２及び後輪１３の各々に取り付けられた、図示しないブレーキ装置の動作レバーである。一方のブレーキレバー１４２を操作することで、前輪１２に取り付けられたブレーキ装置が駆動され、前輪１２に対して機械的な制動力を与える。他方のブレーキレバー１４２を操作することで、後輪１３に取り付けられたブレーキ装置が駆動され、後輪１３に対して機械的な制動力を与える。
【００２５】
ブレーキレバー１４２には、ブレーキセンサが設けられていてもよい。この場合、ブレーキセンサは、ブレーキレバー１４２に対する操作を検出する。
【００２６】
サドル１５は、ユーザが適切な姿勢で乗車した場合に、ユーザが座る部分である。
【００２７】
クランク１６は、クランク軸１６１と、一対のクランクアーム１６２とを有する。クランクアーム１６２は、メインフレーム１１２の両側に１つずつ設けられており、左右方向に延びるクランク軸１６１の両端に固定されている。クランクアーム１６２の一方端がクランク軸１６１に固定され、他方端にはペダル１７が回転自在に固定されている。ペダル１７に踏力が加えられた場合、クランクアーム１６２がクランク軸１６１を中心に回転し、当該回転による人力駆動力が駆動スプロケット及びチェーン１９を介して後輪１３に伝達される。第１モードで動作する場合には、踏力に基づく人力駆動力と、当該人力駆動力に付加された電動モータ２１による補助駆動力とが後輪１３に伝達される。人力駆動力は、踏力と同義である。
【００２８】
本実施の形態では、電動モータ２１は、制御装置３０とともに、樹脂製又は金属製のモータ駆動ユニット２０の筐体に収納されてユニット化されている。
【００２９】
電動モータ２１は、制御装置３０による制御に基づいて、バッテリー５０からの電力を受けて駆動する。電動モータ２１の回転トルクは駆動スプロケットに伝達されて、駆動スプロケットが回転する。こうして、後輪１３は回転する。回転トルクは、補助駆動力を意味する。また、電動モータ２１は、モータ出力を出さない非駆動時に回生電力を発生させてバッテリー５０を充電する回生動作を行うことができ、回生ブレーキとして作動することができる。
【００３０】
本実施の形態における電動モータ２１は、補助駆動力となるモータである。電動モータ２１は、第１モードを実行中に、ペダル１７への踏力に基づく人力駆動力に、補助駆動力を付加する。また、電動モータ２１は、押し歩きモードを実行中に、電動自転車１に対する押して歩く力に、アシストモードでの補助駆動力と異なる補助駆動力を付加する。
【００３１】
図２は、実施の形態１に係る電動自転車１の構成を示すブロック図である。
【００３２】
図２に示すように、制御装置３０は、電動自転車１に搭載された電動モータ２１の補助駆動力を制御する装置である。言い換えれば、制御装置３０は、適切な補助駆動力を付与するための電動モータ２１の出力を制御する。電動モータ２１の出力は、補助駆動力となる。本実施の形態では、制御装置３０は、モータ駆動ユニット２０の筐体の内部に収納されているが、これに限らない。制御装置３０は、モータ駆動ユニット２０とは別体で設けられていてもよい。
【００３３】
制御装置３０には、電動モータ２１、及びバッテリー５０が接続されている。制御装置３０には、電動自転車の電源をオン、オフ等の操作を受付ける各スイッチに対する操作信号等が入力される。制御装置３０は、バッテリー５０から供給される電力を、電動モータ２１及び前照灯に供給する。
【００３４】
制御装置３０は、例えば、マイコン（マイクロコントローラ）などで実現され、プログラムが格納された不揮発性メモリ、プログラムを実行するための一時的な記憶領域である揮発性メモリ、入出力ポート、プログラムを実行するプロセッサなどで構成されている。あるいは、制御装置３０は、専用の電子回路で実現されてもよい。
【００３５】
制御装置３０は、距離センサ３１と、速度センサ３２又は加速度センサと、処理部３３と、駆動制御部３４とを有する。
【００３６】
距離センサ３１は、電動自転車１の周囲に存在する対象物において、電動自転車１から、つまり距離センサ３１から対象物までの距離を検出するセンサである。距離センサ３１は、対象物を検出すると、距離センサ３１から対象物までの距離を示す距離情報を処理部３３に出力する。例えば、距離センサ３１は受光素子と投光素子とを備える。距離センサ３１は、受光素子及び投光素子を用いて、三角測量方式、タイムオブフライト（ＴＯＦ：Ｔｉｍｅ  Ｏｆ  Ｆｌｉｇｈｔ）方式等によって距離センサ３１から対象物までの距離を算出してもよい。また、距離センサ３１は、このような光学式に限定されず、超音波式であってもよい。例えば、距離センサ３１は、送波器と受波器とを有する。送波器は、超音波を対象物に向け発信し、対象物によるその反射波を受波器で受信することにより、対象物の有無、距離センサ３１から対象物までの距離を検出する。なお、距離センサ３１は、例えば、カメラ等であってもよい。
【００３７】
また、距離センサ３１は、電動自転車１の進行方向側に存在する対象物を検出してもよい。進行方向側は、電動自転車１が直接進む進行方向だけではなく、電動自転車１の側面側の近傍領域をも含む。例えば、電動自転車１から数メートル又は数十センチの範囲内にある対象物を検出してもよい。つまり、距離センサ３１は、電動自転車１の進行方向側に存在する対象物を検出するが、例えば、電動自転車１の進行方向と反対側の部分を除いた電動自転車１の周囲を検出してもよい。
【００３８】
速度センサ３２は、電動自転車１の走行速度を検出するセンサである。速度センサ３２は、例えば、前輪１２又は後輪１３の回転数から、電動自転車１の走行速度を検出する。速度センサ３２は、検出した走行速度を示す速度情報を、処理部３３に出力する。
【００３９】
また、速度センサ３２は、これに限定されず、ペダル１７への人力駆動力に基づいてクランク軸１６１が回転することにより発生する人力駆動力を検出するトルクセンサであってもよい。電動自転車１の走行速度は、クランク軸１６１の回転数を検出するクランク回転センサによって検出されたクランク１６の回転数と、後輪１３の大きさとに基づいて算出してもよい。この場合、速度センサ３２は、クランク軸１６１の近傍に配置されている。
【００４０】
なお、本実施の形態では、主に速度センサ３２が検出した走行速度を用いて説明するが、速度センサ３２の代わりに加速度センサであってもよい。このため、特に指定していない場合でも、速度センサ３２の代わりに加速度センサと読み替えてもよく、走行速度の代わりに加速度と読み替えてもよい。
【００４１】
クランク回転センサは、クランク１６の単位時間当たりの回転数を検出することができる。クランク回転センサは、歯車状の回転体と、回転体の歯を挟むように配置された光出射部と受光部とを有する光検出器とを有することで実現され得る。トルクセンサは、例えば、ペダル１７に踏力が加えられて人力駆動力が発生した場合に、磁歪発生部に歪みが発生する。磁歪発生部には、透磁率が増加する部位と減少する部位とが発生する。トルクセンサは、このコイルのインダクタンス差を検出することで、人力駆動力を検出する。
【００４２】
処理部３３は、距離センサ３１が検出した距離を示す距離情報に基づいて、乗り物から対象物までの距離が閾値以下であるか否かを判断する。つまり、処理部３３は、距離情報に含まれる距離センサ３１から対象物までの距離が閾値以下であるか否かを判断する。なお、ここでは、対象物を１つとしているが、対象物が複数ある場合、電動自転車１に最も近い対象物と距離センサ３１との距離に基づいて、処理部３３は、距離が閾値以下であるか否かを判断する。距離センサ３１が検出した距離は、対象物に関する値の一例である。
【００４３】
距離センサ３１から対象物までの距離が閾値以下である場合は、電動自転車１から対象物までの距離が近いことを意味しているため、電動自転車１が走行中である場合、電動自転車１と対象物とが衝突する危険性が高いと考えられる。一方で、距離センサ３１から対象物までの距離が閾値よりも大きい場合は、電動自転車１から対象物までの距離が遠いことを意味しているため、電動自転車１が走行中である場合でも、電動自転車１と対象物とが衝突する危険性が低いと考えられる。
【００４４】
このことから、距離センサ３１から対象物までの距離が閾値以下である場合、処理部３３は、電動モータ２１の補助駆動力を制御するように、駆動制御部３４に制御コマンドを出力する。具体的には、処理部３３は、距離センサ３１から距離を示す閾値以内に対象物が存在している場合は、距離センサ３１から距離を示す閾値以内に対象物が存在していない場合よりも電動モータ２１の補助駆動力を弱める制御コマンドを駆動制御部３４に出力する。
【００４５】
また、処理部３３は、速度センサ３２が検出した走行速度、又は、加速度センサが検出した加速度に基づいて、閾値を算出する。閾値は、電動自転車１の走行速度に応じて変化する。具体的には、電動自転車１の走行速度が大きくなればなるほど、閾値が大きくなる。これは、電動自転車１の走行速度が速くなればなるほど、電動自転車１から離れた距離に対象物があっても、電動自転車１が対象物に衝突する危険性が高まる。
【００４６】
閾値について、図３を用いて例示する。
【００４７】
図３は、電動自転車１の走行速度と閾値との関係を示す図である。図３では、直線状の関数Ｄ１、及び曲線状の関数Ｄ２、Ｄ３を例示しているが、これらは一例であり、これには限定されない。関数Ｄ１、Ｄ２、Ｄ３は、いずれも走行速度の増加とともに、閾値が増加する。
【００４８】
図３で示すように、例えば、関数Ｄ１では、処理部３３は、電動自転車１の走行速度が第１速度ｓ１であれば、閾値が第１閾値ｔ１と算出され、電動自転車１の走行速度が第１速度ｓ１よりも速い第２速度ｓ２であれば、閾値が第１閾値ｔ１よりも大きい第２閾値ｔ２と算出する。処理部３３は、図３の非減少関数を用いて、走行速度に応じた閾値を算出する。図３の関数は、階段状に増加する非減少関数であってもよい。
【００４９】
なお、処理部３３は、アシストモードを実行する場合、ペダル１７への踏力と電動自転車１の走行速度とに基づいて、電動モータ２１が生成する補助駆動力の大きさを決定してもよい。ペダル１７への踏力は、踏力センサ等による検出結果から得られる。
【００５０】
アシストモードにおける補助駆動力は、走行速度に応じて異なるが、例えば、ペダル１７への踏力の２倍以下の大きさである。例えば、処理部３３は、電動自転車１の走行速度が時速１０ｋｍ未満の場合に、電動モータ２１を駆動することで、ペダル１７への踏力の２倍以下の補助駆動力を発生させる。処理部３３は、速度が時速２４ｋｍ以上の場合は、電動モータ２１に補助駆動力を発生させない。処理部３３は、速度が時速１０ｋｍ以上２４ｋｍ未満の場合には、電動モータ２１を駆動することで、速度に応じて定められた補助駆動力を発生させる。
【００５１】
駆動制御部３４は、電動モータ２１がペダル１７への踏力に付与する補助駆動力を制御する。駆動制御部３４は、距離センサ３１が検出した対象物から電動自転車１までの距離が閾値以下である場合に、電動モータ２１の補助駆動力を弱める。駆動制御部３４は、対象物から電動自転車１までの距離が閾値よりも大きい場合における、電動モータ２１の補助駆動力よりも、対象物から電動自転車１までの距離が閾値以下の場合における、電動モータ２１の補助駆動力の方を小さくする。
【００５２】
なお、駆動制御部３４は、例えば、電動モータ２１の補助駆動力を弱める場合に、電動モータ２１に回生ブレーキが働くようにブレーキ力を制御してもよい。具体的には、駆動制御部３４は、距離センサ３１の測定結果に基づいて、電動モータ２１の出力制御を行う。なお、駆動制御部３４は、例えばブレーキセンサがブレーキレバー１４２に対する操作を検出すると、電動モータ２１を制御して、電動モータ２１に回生動作を行わせてもよい。これにより、電動モータ２１は、モータ出力しない非駆動時には回生電力を発生させるので、当該回生電力によってバッテリー５０が充電される。
【００５３】
また、処理部３３は、回転数情報に基づいて、電動自転車１の加速度を算出し、算出した加速度等に基づいて、水平面に対する電動自転車１の速度を算出する。
【００５４】
バッテリー５０は、電動モータ２１の駆動用の電力を貯める蓄電池である。バッテリー５０は、例えば、二次電池であるが、キャパシタなどであってもよい。バッテリー５０は、電動モータ２１に電気的に接続されている。具体的には、バッテリー５０は電動モータ２１に対して電力を供給するとともに、電動モータ２１からの回生電力を充電する。
【００５５】
［動作］
図４は、実施の形態１に係る電動自転車１の走行中に電動モータ２１の補助駆動力を弱める動作を示すフローチャートである。
【００５６】
ここでは、ユーザが電動自転車１で、道路を走行している場合を想定している。
【００５７】
まず、距離センサ３１は、電動自転車１の周囲に存在する対象物を検出すると、電動自転車１つまり距離センサ３１から対象物までの距離を示す距離情報を生成する。また、速度センサ３２は、電動自転車１の走行速度を示す速度情報を生成する。制御装置３０は、距離センサ３１から距離情報を取得し、速度センサ３２から速度情報を取得する（Ｓ１）。
【００５８】
次に、制御装置３０の処理部３３は、速度情報に示される走行速度に基づいて、閾値を算出する（Ｓ２）。例えば、処理部３３は、図３で示すグラフのいずれかの関数を用いて、電動自転車１の走行速度から、閾値を算出する。
【００５９】
次に、処理部３３は、距離センサ３１から対象物までの距離が閾値以下であるか否かを判断する（Ｓ３）。
【００６０】
次に、距離センサ３１から対象物までの距離が閾値よりも大きい場合、制御装置３０は、ステップＳ１に戻り同様の処理を行う。
【００６１】
一方、距離センサ３１から対象物までの距離が閾値以下である場合（Ｓ３でＹＥＳ）、処理部３３は、駆動制御部３４に制御コマンドを出力する。駆動制御部３４は、制御コマンドに基づいて、電動モータ２１の補助駆動力を弱める（Ｓ４）。つまり、電動自転車１に付与されるアシスト力が弱まり、電動自転車１の走行速度の増加が抑制される。そして、制御装置３０は、この処理を終了する。
【００６２】
なお、本実施の形態では、ステップＳ２で閾値を算出しているが、制御装置３０が算出をしなくてもよい。つまり、閾値は、予め設定している値を用いてもよい。この場合、ステップＳ２の処理は省略してもよい。
【００６３】
［作用効果］
次に、本実施の形態における制御装置３０及び電動自転車１の作用効果について説明する。
【００６４】
上述したように、本実施の形態に係る制御装置３０は、電動自転車１に搭載された電動モータ２１の補助駆動力を制御する。制御装置３０は、電動自転車１の周囲に存在する対象物を検出する検出装置と、検出装置が検出した対象物に関する値が閾値以下である場合に、電動モータ２１の補助駆動力を弱める駆動制御部３４とを備える。
【００６５】
これによれば、検出装置が検出装置と対象物との関係から検出した値に基づいて、この値が閾値以下である場合に、駆動制御部３４は、電動モータ２１の補助駆動力を弱めるように制御する。つまり、電動自転車１の周囲に対象物が存在すると、駆動制御部３４は、電動モータ２１の補助駆動力を弱めるように制御する。
【００６６】
したがって、制御装置３０では、電動自転車１の周囲に存在する対象物に応じて、電動モータ２１の補助駆動力を適切に制御することができる。これにより、電動自転車１の近くに対象物が存在する場合に、対象物と電動自転車１とが接触するといったことも生じ難くなり、制御装置３０を搭載した電動自転車１の安全性が向上する。
【００６７】
また、本実施の形態に係る電動自転車１は、制御装置３０を備える。
【００６８】
この電動自転車１においても同様の作用効果を奏する。
【００６９】
また、本実施の形態に係る制御装置３０において、検出装置は、電動自転車１の周囲に存在する対象物から電動自転車１までの距離を値として検出する距離センサ３１である。そして、駆動制御部３４は、距離センサ３１が検出した対象物から電動自転車１までの距離が閾値以下である場合に、電動モータ２１の駆動力を弱める。
【００７０】
これによれば、電動自転車１の周囲、つまり、電動自転車１から所定距離内（閾値以下）に対象物が存在する場合に、駆動制御部３４は、電動モータ２１の駆動力を弱める。このため、この制御装置３０は、電動モータ２１の補助駆動力を適切に制御することができる。
【００７１】
また、本実施の形態に係る制御装置３０は、さらに、電動自転車１の走行速度を検出する速度センサ３２、又は、電動自転車１の加速度を検出する加速度センサと、速度センサ３２が検出した走行速度、又は、加速度センサが検出した加速度に基づいて、閾値を算出する処理部３３とを備える。
【００７２】
これによれば、電動自転車１の走行速度又は加速度に基づいて閾値を算出するため、電動モータ２１が補助駆動力をより適切に付与することができる。
【００７３】
また、本実施の形態に係る制御装置３０において、距離センサ３１は、電動自転車１の進行方向側に存在する対象物を検出する。
【００７４】
この構成によれば、距離センサ３１は、距離センサ３１から電動自転車１の進行方向に存在する対象物までの距離を検出するため、電動モータ２１の補助駆動力をより適切に制御することができる。
【００７５】
（その他変形例等）
以上、本開示について、実施の形態に基づいて説明したが、本開示は、上記制御装置及び乗り物に限定されるものではない。
【００７６】
例えば、上記実施の形態に係る制御装置が自動車等の車両に搭載される場合、制御装置が電動モータの駆動力を制御する。このため、駆動力は、上記実施の形態の補助駆動力に限定されない。
【００７７】
また、上記実施の形態に係る制御装置において、検出装置は、乗り物のどの場所に配置されてもよい。つまり、検出装置は、乗り物が電動自転車である場合、電動自転車の進行方向側、中央部分、進行方向と反対側等に配置してもよい。
【００７８】
また、上記実施の形態に係る制御装置において、検出装置は、加速度センサ、ブレーキセンサ、トルクセンサ等であってもよい。具体的には、加速度センサは、電動自転車の加速度を検出するセンサである。加速度センサによれば、電動自転車の周囲に対象物が検出され、かつ、加速度が上昇している場合に、加速度が第１の閾値以上であれば、処理部は、補助駆動力を弱めるように、駆動制御部に制御コマンドを出力してもよい。電動自転車の加速度は、対象物に関する値の一例である。
【００７９】
また、ブレーキセンサは、ブレーキレバーに対する操作を検出するセンサであり、所定期間あたりのブレーキの回数等を処理部に出力してもよい。ブレーキセンサによれば、電動自転車の周囲に対象物が検出され、かつ、ブレーキの回数が第２の閾値以上であれば、処理部は、補助駆動力を弱めるように、駆動制御部に制御コマンドを出力してもよい。ブレーキの回数は、対象物に関する値の一例である。
【００８０】
さらに、トルクセンサは、ペダルへの人力駆動力に基づいてクランク軸が回転することにより発生する人力駆動力を検出する。トルクセンサによれば、電動自転車の周囲に対象物が検出され、かつ、トルクの回転数が第３の閾値以上であれば、処理部は、補助駆動力を弱めるように、駆動制御部に制御コマンドを出力してもよい。トルクの回転数は、対象物に関する値の一例である。
【００８１】
また、上記実施の形態に係る制御装置は、検出装置の周囲に対象物が存在している場合において、電動自転車の走行速度が第１速度のとき、電動モータの補助駆動力を第１期間で弱め、電動自転車の走行速度が第１速度よりも遅い第２速度のとき、電動モータの補助駆動力を第１期間よりも長い第２期間で弱める。
【００８２】
また、上記実施の形態に係る制御装置において、速度センサの代わりに図５の加速度センサ１３２を用いてもよい。図５は、変形例に係る電動自転車１の構成を示すブロック図である。
【００８３】
また、上記実施の形態に係る制御装置に含まれる各処理部は、典型的に集積回路であるＬＳＩとして実現される。これらは個別に１チップ化されてもよいし、一部又は全てを含むように１チップ化されてもよい。
【００８４】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【００８５】
なお、上記各実施の形態において、各構成要素は、専用のハードウェアで構成されるか、各構成要素に適したソフトウェアプログラムを実行することによって実現されてもよい。各構成要素は、ＣＰＵ又はプロセッサなどのプログラム実行部が、ハードディスク又は半導体メモリなどの記録媒体に記録されたソフトウェアプログラムを読み出して実行することによって実現されてもよい。
【００８６】
また、上記で用いた数字は、全て本開示を具体的に説明するために例示するものであり、本開示の実施の形態は例示された数字に制限されない。
【００８７】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【００８８】
また、フローチャートにおける各ステップが実行される順序は、本開示を具体的に説明するために例示するためであり、上記以外の順序であってもよい。また、上記ステップの一部が、他のステップと同時（並列）に実行されてもよい。
【００８９】
その他、実施の形態に対して当業者が思いつく各種変形を施して得られる形態、本開示の趣旨を逸脱しない範囲で実施の形態における構成要素及び機能を任意に組み合わせることで実現される形態も本開示に含まれる。
【符号の説明】
【００９０】
１  電動自転車（乗り物）
２１  電動モータ
３０  制御装置
３１  距離センサ（検出装置）
３２  速度センサ
３３  処理部
３４  駆動制御部
１３２  加速度センサ（検出装置）
【図１】
2019187854.tif 000003
【図２】
2019187854.tif 000004
【図３】
2019187854.tif 000005
【図４】
2019187854.tif 000006
【図５】
2019187854.tif 000007
【国際調査報告】
2019187854.tif 000008
2019187854.tif 000009
2019187854.tif 000010